(57)【要約】【課題】  カメラユーザの撮影スキルを向上させるための支援を行う。【解決手段】  カメラ１０のＣＰＵ２１は、画像についての情報に基づいて、表示部１９に表示されている当該画像の撮影状況の判定を行い、当該判定において当該撮影状況が予め定められた条件と合致した場合に、当該予め定められた条件に対応する画像撮影時の操作情報であるアドバイス情報を表示部１９で表示させる。【選択図】      図１
2006352712.tif 000002
【特許請求の範囲】
【請求項１】
画像を表示する表示手段と、
画像についての撮影情報に基づいて、上記表示手段に表示されている当該画像の撮影状況の判定を行う判定手段と、
上記判定において上記撮影状況が予め定められた条件と合致した場合に、当該予め定められた条件に対応する画像撮影時の操作情報であるアドバイス情報を提示する提示手段と、
を有することを特徴とする撮影アドバイス装置。
【請求項２】
上記アドバイス情報は、上記画像の撮影時にデジタルズームの使用を勧める旨の情報、若しくは、上記画像の撮影の際に使用されていたレンズの交換を勧める旨の情報であることを特徴とする請求項１に記載の撮影アドバイス装置。
【請求項３】
上記提示手段は、上記画像が光学ズームにおける望遠端で撮影されていて、且つ当該画像が無限遠の合焦位置で撮影されていることを当該画像についての情報が示している場合に、上記アドバイス情報を提示することを特徴とする請求項２に記載の撮影アドバイス装置。
【請求項４】
上記判定手段は、上記画像の撮影時に使用したストロボ光のケラレの発生の有無を判定し、
上記アドバイス情報は、カメラに外付けする外部ストロボの使用を勧める旨の情報である、
ことを特徴とする請求項１に記載の撮影アドバイス装置。
【請求項５】
上記提示手段は、上記画像の撮影の際に使用したレンズの情報、当該画像の撮影の際における焦点距離の情報、及び、当該画像の撮影の際における上記カメラに内蔵されているストロボの使用の有無を示す情報が上記所定の条件と合致した場合に、上記アドバイス情報を提示することを特徴とする請求項４に記載の撮影アドバイス装置。
【請求項６】
上記判定手段は、上記画像の撮影時におけるレンズ絞りの過大な絞り込みに起因する光の回折現象の発生の有無を判定し、
上記アドバイス情報は、上記レンズ絞りの設定を上記画像の撮影の際におけるものよりも開く向きへ変更することを勧める旨の情報である、
ことを特徴とする請求項１に記載の撮影アドバイス装置。
【請求項７】
画像についての撮影情報に基づいて、表示部に表示されている当該画像の撮影状況の判定を行い、
上記判定において上記撮影状況が予め定められた条件と合致した場合に、当該予め定められた条件に対応する画像撮影時の操作情報であるアドバイス情報を提示する、
ことを特徴とする撮影アドバイス方法。
【請求項８】
画像についての撮影情報に基づいて、表示部に表示されている当該画像の撮影状況の判定を行う処理と、
上記判定において上記撮影状況が予め定められた条件と合致した場合に、当該予め定められた条件に対応する画像撮影時の操作情報であるアドバイス情報を提示する処理と、
をコンピュータに行わせるためのプログラム。
【発明の詳細な説明】
【技術分野】
【０００１】
本発明は、カメラ技術に関し、特に、望み通りの写真撮影をユーザが行えるようにするための技術に関する。
【背景技術】
【０００２】
シャッター速度やレンズ絞りなどといった撮影条件の設定についての専門的な知識を有していない初心者等のカメラユーザであっても適切なカメラ撮影を行えるようにする技術に関し、例えば特許文献１には、被写体の種別が容易に理解できる見本画像を、そのような画像を撮影するための撮影操作を教えるアドバイス情報と共にユーザへ提示し、これより撮影しようとする被写体に対応するものをこの見本画像からユーザが選択すると、選択された見本画像に対応付けられている撮影条件がカメラに設定されるという技術が開示されている。
【０００３】
また、カメラでの画像撮影を好みの画質で行えるようにする技術に関し、例えば特許文献２には、撮影時にカメラで行われる画像処理の処理条件を、過去に撮影した画像に対して施した画像処理の履歴に基づいて補正するという技術が開示されている。
【特許文献１】特開２００２−１０１３３号公報
【特許文献２】特開２００２−２６２１７４号公報
【発明の開示】
【発明が解決しようとする課題】
【０００４】
カメラには、搭載する機能を厳選して初心者でも容易に使いこなせるようにしたものや、多種多様な撮影シーンに対処できるように多くの機能を搭載したものなど、様々な種類のものが存在する。一方で、カメラユーザは、良い写真（ユーザ自身の願望に沿った写真）を撮りたいと望んでいるのが常であるが、カメラに搭載されている機能の使いこなしが適切でなかったために、ユーザにとって不本意な撮影を行ってしまうことも少なくない。
【０００５】
このような不本意な撮影を行わないようにするにはユーザがカメラ撮影についての高いスキルを身に付けることが必要である。しかしながら、撮影スキルの向上は極めて困難な作業であり、ユーザは、インストラクターのレッスンを受ける、写真教室に通う、あるいは、ユーザ自身が試行錯誤を重ねる、等して撮影スキルの向上に努めるしかないのが現状である。
【０００６】
本発明は上述した問題に鑑みてなされたものであり、その解決しようとする課題は、カメラユーザの撮影スキルを向上させるための支援を行うことである。
【課題を解決するための手段】
【０００７】
本発明の態様のひとつである撮影アドバイス装置は、画像を表示する表示手段と、画像についての情報に基づいて上記表示手段に表示されている当該画像の撮影状況の判定を行う判定手段と、上記判定において上記撮影状況が予め定められた条件と合致した場合に、当該予め定められた条件に対応する画像撮影時の操作情報であるアドバイス情報を提示する提示手段と、を有することを特徴とするものであり、この特徴によって前述した課題が解決される。
【０００８】
なお、上述した本発明に係る撮影アドバイス装置において、上記アドバイス情報は、上記画像の撮影時にデジタルズームの使用を勧める旨の情報、若しくは、上記画像の撮影の際に使用されていたレンズの交換を勧める旨の情報であるように構成してもよい。
【０００９】
なお、このとき、上記提示手段は、上記画像が光学ズームにおける望遠端で撮影されていて、且つ当該画像が無限遠の合焦位置で撮影されていることを当該画像についての情報が示している場合に、上記アドバイス情報を提示するように構成してもよい。
【００１０】
また、前述した本発明に係る撮影アドバイス装置において、上記判定手段は、上記画像の撮影時に使用したストロボ光のケラレの発生の有無を判定し、上記アドバイス情報は、カメラに外付けする外部ストロボの使用を勧める旨の情報であるように構成してもよい。
【００１１】
ここで、上記提示手段は、上記画像の撮影の際に使用したレンズの情報、当該画像の撮影の際における焦点距離の情報、及び、当該画像の撮影の際における上記カメラに内蔵されているストロボの使用の有無を示す情報が上記所定の条件と合致した場合に、上記アドバイス情報を提示するように構成してもよい。
【００１２】
また、前述した本発明に係る撮影アドバイス装置において、上記判定手段は、上記画像の撮影時におけるレンズ絞りの過大な絞り込みに起因する光の回折現象の発生の有無を判定し、上記アドバイス情報は、上記レンズ絞りの設定を上記画像の撮影の際におけるものよりも開く向きへ変更することを勧める旨の情報であるように構成してもよい。
【００１３】
また、本発明の別の態様のひとつである撮影アドバイス方法は、画像についての撮影情報に基づいて、表示部に表示されている当該画像の撮影状況の判定を行い、上記判定において上記撮影状況が予め定められた条件と合致した場合に、当該予め定められた条件に対応する画像撮影時の操作情報であるアドバイス情報を提示する、ことを特徴とするものであり、この特徴によって前述した課題が解決される。
【００１４】
なお、画像についての情報に基づいて、表示部に表示されている当該画像の撮影状況の判定を行う処理と、上記判定において上記撮影状況が予め定められた条件と合致した場合に、当該予め定められた条件に対応する画像撮影時の操作情報であるアドバイス情報を提示する処理と、をコンピュータに行わせるためのプログラムについても本発明に係るものであり、コンピュータに当該プログラムを実行させることで前述した本発明に係る撮影アドバイス装置と同様の作用・効果を奏する結果、前述した課題が解決される。
【発明の効果】
【００１５】
本発明によれば、以上のようにすることにより、カメラユーザの撮影スキル向上の支援ができるようになるという効果を奏する。
【発明を実施するための最良の形態】
【００１６】
以下、本発明の実施の形態を図面に基づいて説明する。なお、ここでは、本発明をカメラ（デジタルカメラ）で実施する形態について説明する。
まず図１について説明する。同図は本発明を実施するカメラ１０の構成を示している。
【００１７】
図１において、撮像処理部１３、画像処理部１４、ＲＡＭ１５、メモリＩ／Ｆ１６、表示制御部１８、ＵＳＢＩ／Ｆ２０、及びＣＰＵ２１はいずれもバス２４に接続されており、ＣＰＵ２１による管理の下で相互に各種のデータの授受を行うことができる。
【００１８】
レンズ１１によって結像された被写体像は、例えばＣＣＤ（Charge Coupled Device ）である撮像部１２によって電気信号に変換されて撮像処理部１３に入力される。撮像処理部１３では、入力された電気信号を所定の大きさまで増幅した後にアナログ−デジタル変換を行い、被写体像が表されている画像を示す画像データを出力する。
【００１９】
画像処理部１４は、撮像処理部１３から出力された画像データに対して、当該画像データで表現されている画像のγ補正やエッジ強調、ホワイトバランス補正等の画像処理を施す。また、画像データをメモリカード１７に記録する場合には、当該画像データに対してデータ圧縮処理を必要に応じて行う。更に、メモリカード１７に記録されている画像データで表されている画像の再生表示を行う場合には、メモリカード１７から読み出された画像データに対してデータ伸張処理を必要に応じて行う。
【００２０】
ＲＡＭ１５は、画像処理部１４やＣＰＵ２１が各種の処理を行う際に必要に応じて作業用として使用するランダム・アクセス・メモリである。
メモリＩ／Ｆ（インタフェース）１６はメモリカード１７をバス２４に接続するインタフェースであり、ＣＰＵ２１の管理の下でメモリカード１７に対する各種のデータの読み書きを可能とする。
【００２１】
メモリカード１７はカメラ１０に対して着脱自在であり、画像データ等の各種のデータの記録媒体として利用される。なお、本実施形態においては、画像データの格納形式として、昨今のデジタルスチルカメラの多くが使用しているＥｘｉｆ（Exchangeable Image File Format）形式を採用するものとし、同形式に準拠した画像データファイルをメモリカード１７に記録するものとする。但し、本発明の実施において、他の画像データの格納形式を採用することはもちろん可能である。
【００２２】
表示処理部１８は、バス２４を経て送られてきた画像データをデジタル−アナログ変換して表示部１９へ与える。
表示部１９は例えばＬＣＤ（Liquid Crystal Display）であり、表示処理部１８に入力された画像データで表されている画像を表示する。
【００２３】
ＵＳＢ（Universal Serial Bus）Ｉ／Ｆ２０は、カメラ１０と例えばパーソナル・コンピュータ（ＰＣ）等の外部機器とを接続して各種のデータの授受を行えるようにするためのインタフェースである。
【００２４】
ＣＰＵ（Central Processing Unit ）２１はこのカメラ１０全体の動作制御を行う。
ＲＯＭ２２はＣＰＵ２１によって実行される制御プログラムやその実行の際に必要に応じて使用される各種のデータが格納されているリード・オンリ・メモリであり、ＣＰＵ２１はこの制御プログラムを実行することによって上述した動作制御が可能となる。
【００２５】
操作入力部２３はカメラ１０のユーザによって操作されるスイッチ類であり、操作の内容に対応付けられているユーザからの指示を取得してＣＰＵ２１へ渡す。
図２はこのカメラ１０の背面図である。同図において、筐体３０に設けられている、撮影動作の実行指示を取得するレリーズボタン２３−１、メニュー画面の表示指示や各種動作の実行指示を取得する確定ボタン２３−２、方向指示を取得する十字ボタン２３−３、２３−４、２３−５、及び２３−６、並びにアドバイスの表示指示を取得するガイドボタン２３−７などはいずれも操作入力部２３を構成するスイッチ類である。
【００２６】
なお、図２には、ファインダ３１と前述した表示部１９とが筐体３０の背面側に設けられていることも表されている。
以下、ＣＰＵ２１によって行われる、本発明に関係する各種の制御処理について説明する。なお、これより説明する各制御処理は、いずれもＲＯＭ２２に格納されている制御プログラムをＣＰＵ２１が読み出して実行することによって実現される。
【００２７】
まず図３Ａ及び図３Ｂについて説明する。これらの図は、アドバイス処理の第一の例の処理内容を示すフローチャートである。なお、この処理は、ユーザが操作入力部２３を操作して所定の指示を行うことで、メモリカード１７に記録した画像を１コマ毎に表示部１９で再生表示させる動作（再生モード）をカメラ１０に行わせると開始される。
【００２８】
アドバイス処理は、画像撮影時におけるカメラ１０に対する各種の設定状況が示されているＥｘｉｆ情報に基づいて、カメラ１０で撮影された画像の撮影状況の判定を行い、この判定において撮影状況が所定の条件と合致した場合に、画像撮影に関する情報であるアドバイス情報を提示するというものである。なお、Ｅｘｉｆ情報は、メモリカード１７に格納されている画像データファイルにおいて各画像データに各々対応付けられて格納されている。
【００２９】
なお、この第一の例は、カメラ１０で撮影された画像のＥｘｉｆ情報を複数枚の画像について集計したときの集計結果から認められるＥｘｉｆ情報の傾向より、遠くの被写体を大きく撮影することをユーザが望んでいると推定される場合に、デジタルズームの使用の推奨をアドバイス情報として提示するというものである。
【００３０】
図３Ａにおいて、まず、Ｓ１０１では、メモリカード１７から、格納されている全ての画像データファイルを読み出し、各画像データファイルに格納されているＥｘｉｆ情報を取得する処理が行われる。
【００３１】
Ｓ１０２では、前ステップの処理によって取得したＥｘｉｆ情報より、撮影に使用したレンズを特定し、特定されたレンズの焦点距離の範囲を取得する処理が行われる。なお、ここでは、メモリカード１７で記録されている画像は全て同一のレンズを用いて撮影されていたものとする。
【００３２】
なお、レンズの焦点距離の範囲を取得するには、例えば、カメラ１０のＲＯＭに予め格納されている交換レンズのデータベースを使用し、Ｅｘｉｆ情報に含まれている識別情報によって特定されるレンズについての焦点距離の範囲をそのデータベースから取得するようにしてもよい。あるいは、撮影時に使用したレンズ自身が有している焦点距離の範囲の情報を画像撮影時にカメラ１０がＥｘｉｆ情報に書き込むようにし、この情報をＳ１０２の処理で参照することにより取得するようにしてもよい。
【００３３】
Ｓ１０３では、メモリカード１７で記録されている画像の撮影時における平均の焦点距離を算出する処理が行われる。なお、この処理は、より具体的には、Ｓ１０１の処理によって読み出したＥｘｉｆ情報の各々に示されている各画像についての焦点距離の平均値を算出する処理である。
【００３４】
Ｓ１０４では、メモリカード１７で記録されている画像の撮影時における平均の合焦位置（撮影距離）を算出する処理が行われる。
Ｓ１０５では、Ｓ１０３の処理によって得られた平均の焦点距離が望遠端付近（例えば望遠端における焦点距離の９０％以上の位置）に位置しているか否か判定する処理が行われる。ここで、望遠端付近に位置していると判定されたとき（判定結果がＹｅｓのとき）にはＳ１０６に処理を進め、望遠端付近には位置していないと判定されたとき（判定結果がＮｏのとき）にはＳ１０８に処理を進める。
【００３５】
Ｓ１０６では、Ｓ１０４の処理によって得られた平均の合焦位置が無限遠付近（例えば無限遠を使用する最近の合焦位置の９０％以上の位置）に位置しているか否か判定する処理が行われる。ここで、無限遠付近に位置していると判定されたとき（判定結果がＹｅｓのとき）にはＳ１０７に処理を進め、無限遠付近には位置していないと判定されたとき（判定結果がＮｏのとき）にはＳ１０８に処理を進める。
【００３６】
上述したＳ１０５及びＳ１０６の判定処理における判定条件に共に合致し、これらの判定処理の結果がいずれもＹｅｓの場合には、遠くの被写体を大きく撮影することをユーザが望んでいるとの推定がされる。そこで、Ｓ１０７において、アドバイス情報表示フラグをセットする処理が行われる。
【００３７】
アドバイス情報表示フラグは、ＲＡＭ１５における予め定められている記憶位置に定義されているフラグであり、このアドバイス処理の第一の例においては、このフラグがセットされていることにより、遠くの被写体を大きく撮影することをユーザが望んでいると推定されていること、すなわち、メモリカード１７で記録されている画像の撮影時における平均の焦点距離が望遠端付近に位置しており、且つ、当該画像の撮影時における平均の合焦位置が無限遠付近に位置していることが表される。なお、図３Ａのアドバイス処理の実行開始時には、このフラグは初期化（リセット）される。
【００３８】
Ｓ１０８では、カメラ１０で直近に撮影された画像を表示部１９で再生表示させる処理が行われる。
処理は図３Ｂに進み、Ｓ１０９では、アドバイス情報表示フラグがセットされているか否かを判定する処理が行われる。ここで、当該フラグがセットされていると判定したとき（判定結果がＹｅｓのとき）にはＳ１１０に処理を進め、当該フラグがセットされていないと判定したとき（判定結果がＮｏのとき）にはＳ１２１に処理を進める。
【００３９】
Ｓ１１０では、現在再生表示中の画像についての画像データが格納されている画像データファイルに格納されているＥｘｉｆ情報より、当該画像の撮影時における焦点距離と合焦位置とを取得する処理が行われる。
【００４０】
Ｓ１１１では、Ｓ１１０の処理によって得られた焦点距離が望遠端付近（例えば、Ｓ１０５と同様、望遠端における焦点距離の９０％以上の位置）に位置しているか否か判定する処理が行われる。ここで、望遠端付近に位置していると判定されたとき（判定結果がＹｅｓのとき）にはＳ１１２に処理を進め、望遠端付近には位置していないと判定されたとき（判定結果がＮｏのとき）にはＳ１２１に処理を進める。
【００４１】
Ｓ１１２では、Ｓ１１０の処理によって得られた合焦位置が無限遠付近（例えば、Ｓ１０６と同様、無限遠を使用する最近の合焦位置の９０％以上の位置）に位置しているか否か判定する処理が行われる。ここで、無限遠付近に位置していると判定されたとき（判定結果がＹｅｓのとき）にはＳ１１３に処理を進め、無限遠付近には位置していないと判定されたとき（判定結果がＮｏのとき）にはＳ１２１に処理を進める。
【００４２】
上述したＳ１１１及びＳ１１２の判定処理における判定条件に共に合致し、これらの判定処理の結果がいずれもＹｅｓの場合には、この再生表示中の画像は、遠くの被写体を大きく撮影することをユーザが望んで撮影がされたとの推定がされる。そこで、Ｓ１１３において、アドバイス情報がある旨を表示部１９で表示させる処理が行われる。
【００４３】
ここで図４Ａ及び図４Ｂについて説明する。これらの図は、いずれもメモリカード１７に記録されている画像の表示部１９での再生表示例であり、図４Ａはアドバイス情報がある旨の表示がされていない状態、図４Ｂは、上述したＳ１１３の処理によってアドバイス情報がある旨の表示がされている状態の例を示している。この両図を比較すると分かるように、この画面例では、図４Ｂにおける画面内の右側の「ＧＵＩＤＥ」なる表示が、アドバイス情報がある旨の表示である。
【００４４】
Ｓ１１４では、操作入力部２３のガイドボタン２３−７に対する押下操作によるユーザからのアドバイス情報の表示指示を取得したか否かを判定する処理が行われる。ここで、当該指示を取得したと判定したとき（判定結果がＹｅｓのとき）にはＳ１１５に処理を進める。一方、当該操作を取得していないと判定したとき（判定結果がＮｏのとき）にはＳ１２１に処理を進める。
【００４５】
Ｓ１１５では、それまでの撮影画像の再生表示に代えて、図４Ｃに例示するようなアドバイス情報の表示画面を表示部１９で表示させる処理が行われる。なお、図４Ｃの例は、「デジタルズームを使用すると、更に拡大した撮影ができます。」なる文章の表示であり、デジタルズームの使用を勧める旨の情報をユーザへ提示するものである。
【００４６】
Ｓ１１６では、操作入力部２３に対する押下操作による、デジタルズームの使用選択指示（この使用選択指示は、十字ボタン２３−３、２３−４、２３−５、若しくは２３−６を操作して図４Ｃの右下の「ＯＮ／ＯＦＦ」表示のうち「ＯＮ」を選択しているときに、確定ボタン２３−２が押下操作されることによってなされる）を取得したか否かを判定する処理が行われる。ここで、当該指示を取得したと判定したとき（判定結果がＹｅｓのとき）にはＳ１１７に処理を進める。一方、当該操作を取得していないと判定したとき（判定結果がＮｏのとき）にはＳ１１８に処理を進める。
【００４７】
Ｓ１１７では、以降の撮影においてデジタルズームを機能させるようにカメラ１０の撮影動作時における動作設定を変更する処理が行われ、その後はＳ１２０に処理を進める。
Ｓ１１８では、操作入力部２３に対する押下操作による、デジタルズームの非使用選択指示（この非使用選択指示は、十字ボタン２３−３、２３−４、２３−５、若しくは２３−６を操作して図４Ｃの右下の「ＯＮ／ＯＦＦ」表示のうち「ＯＦＦ」を選択しているときに、確定ボタン２３−２が押下操作されることによってなされる）を取得したか否かを判定する処理が行われる。ここで、当該指示を取得したと判定したとき（判定結果がＹｅｓのとき）にはＳ１１９に処理を進める。一方、当該操作を取得していないと判定したとき（判定結果がＮｏのとき）にはＳ１１６へと処理を戻し、デジタルズームの使用・非使用の選択指示の取得処理を繰り返す。
【００４８】
Ｓ１１９では、以降の撮影においてデジタルズームを機能させないようにカメラ１０の撮影動作時における動作設定を変更する処理が行われる。
Ｓ１２０では、Ｓ１１５の処理によって表示部１９に表示させたアドバイス情報の表示画面を消去して元の撮影画像の再生表示を再開させる処理が行われる。
【００４９】
Ｓ１２１では、操作入力部２３に対する押下操作により、表示部１９で現在表示中の撮影画像の前若しくは後に続く次のコマである撮影画像の表示指示（この表示指示は、十字ボタン２３−３、２３−４、２３−５、若しくは２３−６が押下操作されることによってなされる）を取得したか否かを判定する処理が行われる。ここで、当該指示を取得したと判定したとき（判定結果がＹｅｓのとき）にはＳ１２１に処理を進め、当該指示に係るコマの画像を表示部１９で表示させる処理が行われ、その後はＳ１０９へと処理を戻して上述した処理を繰り返す。一方、当該指示を取得していないと判定したとき（判定結果がＮｏのとき）は、Ｓ１２３に処理を進める。
【００５０】
Ｓ１２３では、前述したアドバイス情報表示フラグがセットされているか否かを判定する処理が行われる。ここで、当該フラグがセットされていると判定したとき（判定結果がＹｅｓのとき）にはＳ１１３へと処理を戻して上述した処理を繰り返す。一方、当該フラグがセットされていないと判定したとき（判定結果がＮｏのとき）にはＳ１２１へと処理を戻して、次のコマの撮影画像の表示指示の取得のための処理を繰り返す。
【００５１】
以上までの処理がＣＰＵ２１によって行われることにより、カメラ１０で撮影された複数枚の画像の傾向より、ユーザが遠くの被写体を大きく撮影することを望んでいることが推定される場合に、アドバイス情報がユーザに提示されてデジタルズームの使用が推奨されるので、ユーザの撮影スキル向上の一助となる。
【００５２】
なお、図３Ａ及び図３Ｂにおいては、ユーザが遠くの被写体を大きく撮影することを望んでいることが推定される場合に、Ｓ１０９において、図４Ｃに例示したような、デジタルズームの使用を推奨するアドバイス情報を表示部１９で表示させてユーザへ提示していたが、その代わりに、図４Ｄに例示するような、撮影に使用されたものよりもより望遠の撮影を行うことのできるカメラアクセサリーとして、交換レンズの使用を勧奨するアドバイス情報をユーザへ提示することもできる。また、このアドバイス情報に、カメラ１０で使用可能な交換レンズを個別に特定する製品番号等の情報を含むようにしてもよい。
【００５３】
また、図３Ａ及び図３Ｂの処理においては、メモリカード１７で記録されている全ての撮影画像についての焦点距離の平均と合焦位置の平均とをアドバイス情報の表示の判定基準として使用していたが、この代わりに、メモリカード１７で記録されている全ての撮影画像のうちの予め定められた枚数の画像（若しくは予め定められた割合の画像）が、焦点距離及び合焦位置について予め設定されている閾値を超えているかどうかを基準として、アドバイス情報の表示を行うか否かを判定するようにしてもよい。
【００５４】
次に図５について説明する。同図は、アドバイス処理の第二の例の処理内容を示すフローチャートである。この処理も、ユーザが操作入力部２３を操作して所定の指示を行うことで、メモリカード１７に記録した画像を１コマ毎に表示部１９で再生表示させる動作（再生モード）をカメラ１０に行わせると開始される。
【００５５】
このアドバイス処理の第二の例は、表示部１９で再生表示中の撮影画像において、カメラ１０に内蔵されている不図示のストロボ光（フラッシュ）のケラレが発生していることが当該画像のＥｘｉｆ情報より推定される場合に、カメラ１０に外付けされる外部ストロボの使用の推奨をアドバイス情報として提示するというものである。なお、ストロボ光のケラレとは、比較的近距離の被写体をストロボ撮影したときに、撮影時に使用したレンズの鏡筒によってストロボ光の一部が遮られることにより、レンズ鏡筒の影が撮影画像に写り込んでしまうことをいう。
【００５６】
図５において、まず、Ｓ２０１では、表示部１９で表示中の画像についての画像データが格納されている画像データファイルをメモリカード１７から読み出し、その画像データファイルに格納されているＥｘｉｆ情報を取得する処理が行われる。
【００５７】
Ｓ２０２では、前ステップの処理により取得したＥｘｉｆ情報から、撮影に使用したレンズを特定するための識別情報を取得する処理が行われる。
Ｓ２０３では、Ｓ２０１の処理により取得したＥｘｉｆ情報から、表示部１９で表示中の画像の撮影時における焦点距離を取得する処理が行われる。
【００５８】
Ｓ２０４では、Ｓ２０１の処理により取得したＥｘｉｆ情報から、表示部１９で表示中の画像の撮影時における内蔵ストロボの使用状況を取得する処理が行われる。
Ｓ２０５では、前ステップの処理によって取得した内蔵ストロボの使用状況より、表示部１９で表示中の画像の撮影が内蔵ストロボを発光させて行われていたか否かを判定する処理が行われる。ここで、内蔵ストロボを発光させて撮影が行われていたと判定したとき（判定結果がＹｅｓのとき）にはＳ２０６に処理を進め、内蔵ストロボを発光させることなく撮影が行われていたと判定したとき（判定結果がＮｏのとき）にはＳ２１４に処理を進める。
【００５９】
Ｓ２０６では、Ｓ２０２の処理によって取得した識別情報によって特定されるレンズでは、内蔵ストロボのケラレがカメラ１０で発生し得るか否かを判定する処理が行われる。ここで、ケラレが発生し得ると判定したとき（判定結果がＹｅｓのとき）にはＳ２０７に処理を進め、ケラレの発生はあり得ないと判定したとき（判定結果がＮｏのとき）にはＳ２１４に処理を進める。
【００６０】
Ｓ２０７では、Ｓ２０３の処理によって取得した撮影時の焦点距離では、使用したレンズによる内蔵ストロボのケラレが発生するか否かを判定する処理が行われる。ここで、ケラレが発生すると判定したとき（判定結果がＹｅｓのとき）にはＳ２０８に処理を進め、ケラレが発生しないと判定したとき（判定結果がＮｏのとき）にはＳ２１４に処理を進める。
【００６１】
上述したＳ２０５、Ｓ２０６、及びＳ２０７の判定処理における判定条件に共に合致し、これらの判定処理の結果がいずれもＹｅｓの場合には、ストロボ光のケラレが表示部１９に現在表示中の撮影画像に生じているとの推定がされる。そこで、Ｓ２０８において、前述したものと同様の、アドバイス情報表示フラグをセットする処理が行われ、続くＳ２０９において、アドバイス情報がある旨を表示部１９で表示させる処理が行われる。但し、このアドバイス処理の第二の例においては、このフラグがセットされていることにより、ストロボ光のケラレが表示部１９に現在表示中の撮影画像に生じているとの推定がされていることが表される。
【００６２】
ここで図６Ａ及び図６Ｂについて説明する。これらの図は、いずれもメモリカード１７に記録されている画像の表示部１９での再生表示例であり、画像の下部にはストロボ光のケラレが生じている。ここで、図６Ａはアドバイス情報がある旨の表示がされていない状態、図６Ｂは、上述したＳ２０９の処理によってアドバイス情報がある旨の表示がされている状態の例を示している。この両図を比較すると分かるように、この画面例では、図６Ｂにおける画面内の右側の「ＧＵＩＤＥ」なる表示が、アドバイス情報がある旨の表示である。
【００６３】
Ｓ２１０では、操作入力部２３のガイドボタン２３−７に対する押下操作によるユーザからのアドバイス情報の表示指示を取得したか否かを判定する処理が行われる。ここで、当該指示を取得したと判定したとき（判定結果がＹｅｓのとき）にはＳ２１１に処理を進める。一方、当該操作を取得していないと判定したとき（判定結果がＮｏのとき）にはＳ２１４に処理を進める。
【００６４】
Ｓ２１１では、それまでの撮影画像の再生表示に代えて、図６Ｃに例示するようなアドバイス情報の表示画面を表示部１９で表示させる処理が行われる。なお、図６Ｃの例は、「外部ストロボを使用するとケラレがなくなります。」なる文章と外部ストロボの製品例との表示であり、カメラ１０に外付けする外部ストロボの使用を勧める旨の情報をユーザへ提示するものである。なお、この外部ストロボの製品例の表示には、カメラ１０で使用可能な外部ストロボを個別に特定する製品番号等の情報が含まれている。
【００６５】
Ｓ２１２では、操作入力部２３の確定ボタン２３−２に対する押下操作による、アドバイス情報の表示終了の指示を取得したか否かを判定する処理が行われ、当該指示を取得したとの判定がされるまで（判定結果がＹｅｓとなるまで）Ｓ２１２の処理を繰り返す。
【００６６】
Ｓ２１３では、Ｓ２１１の処理によって表示部１９に表示させたアドバイス情報の表示画面を消去して元の撮影画像の再生表示を再開させる処理が行われる。
Ｓ２１４では、操作入力部２３に対する押下操作により、表示部１９で現在表示中の撮影画像の前若しくは後に続く次のコマである撮影画像の表示指示（この表示指示は、十字ボタン２３−３、２３−４、２３−５、若しくは２３−６が押下操作されることによってなされる）を取得したか否かを判定する処理が行われる。ここで、当該指示を取得したと判定したとき（判定結果がＹｅｓのとき）にはＳ２１５に処理を進め、当該指示に係るコマの画像を表示部１９で表示させる処理が行われ、その後はＳ２０１へと処理を戻して上述した処理を繰り返す。一方、当該指示を取得していないと判定したとき（判定結果がＮｏのとき）は、Ｓ２１６に処理を進める。
【００６７】
Ｓ２１６では、前述したアドバイス情報表示フラグがセットされているか否かを判定する処理が行われる。ここで、当該フラグがセットされていると判定したとき（判定結果がＹｅｓのとき）にはＳ２０８へと処理を戻して上述した処理を繰り返す。一方、当該フラグがセットされていないと判定したとき（判定結果がＮｏのとき）にはＳ２１４へと処理を戻して、次のコマの撮影画像の表示指示の取得のための処理を繰り返す。
【００６８】
以上までの処理がＣＰＵ２１によって行われることにより、カメラ１０での撮影時に使用したストロボ光のケラレが撮影された画像に生じていることが推定される場合に、アドバイス情報がユーザに提示されてカメラ１０に外付けする外部ストロボの使用が推奨されるので、ユーザの撮影スキル向上の一助となる。
【００６９】
次に図７について説明する。同図は、アドバイス処理の第三の例の処理内容を示すフローチャートである。この処理も、ユーザが操作入力部２３を操作して所定の指示を行うことで、メモリカード１７に記録した画像を１コマ毎に表示部１９で再生表示させる動作（再生モード）をカメラ１０に行わせると開始される。
【００７０】
このアドバイス処理の第三の例は、表示部１９で再生表示中の撮影画像において、シャッター速度の割にレンズ絞りが過度に絞り込まれた状態で撮影の行われたことが当該画像のＥｘｉｆ情報より推定される場合に、レンズ絞りの絞り過ぎで生じる光の回折現象による画質の劣化の可能性を警告し、現状よりもレンズ絞りを開いて撮影することを勧める旨のアドバイス情報を提示するというものである。なお、過大なレンズ絞りの絞り込みに起因する光の回折現象とは、レンズ絞りとして機能するレンズ内の羽絞りの裏側へと入射光が回り込んでしまう現象のことであり、この現象が顕著に表れると被写体像にボケが生じてしまい、レンズ収差の影響を軽減させる意図でレンズ絞りを絞り込んでいるにも拘わらず却って解像度が低下するというものである。
【００７１】
図７において、まず、Ｓ３０１では、表示部１９で表示中の画像についての画像データが格納されている画像データファイルをメモリカード１７から読み出し、その画像データファイルに格納されているＥｘｉｆ情報を取得する処理が行われる。
【００７２】
Ｓ３０２では、前ステップの処理により取得したＥｘｉｆ情報から、撮影に使用したレンズを特定するための識別情報を取得する処理が行われる。
Ｓ３０３では、Ｓ２０１の処理により取得したＥｘｉｆ情報から、表示部１９で表示中の画像の撮影時におけるレンズ絞りの絞り値を取得する処理が行われる。
【００７３】
Ｓ３０４では、Ｓ２０１の処理により取得したＥｘｉｆ情報から、表示部１９で表示中の画像の撮影時におけるシャッター速度を取得する処理が行われる。
Ｓ３０５では、Ｓ３０３の処理によって取得した絞り値において、Ｓ３０２の処理によって取得した識別情報によって特定されるレンズでは光の回折現象による画質への影響が生じ得るか否かを判定する処理が行われる。ここで、光の回折現象の影響が生じ得ると判定したとき（判定結果がＹｅｓのとき）にはＳ３０６に処理を進め、光の回折現象による影響は高々ごく軽微であって無視し得ると判定したとき（判定結果がＮｏのとき）にはＳ３１５に処理を進める。
【００７４】
なお、光の回折現象の影響が生じ得るか否かの判定は、例えば、カメラ１０のＲＯＭに予め格納されている交換レンズのデータベースを使用し、Ｅｘｉｆ情報に含まれている識別情報によって特定されるレンズにおいて光の回折現象の影響が生じ得る絞り値の範囲をそのデータベースから取得するようにしてもよい。あるいは、撮影時に使用したレンズ自身が有している光の回折現象の影響が生じ得る絞り値の範囲の情報を画像撮影時にカメラ１０がＥｘｉｆ情報に書き込むようにし、この情報をＳ３０２の処理で参照することにより取得するようにしてもよい。
【００７５】
Ｓ３０６では、Ｓ３０２の処理によって取得した識別情報によって特定されるレンズにおいて、現在のレンズ絞りの絞り値から光の回折現象の影響が無視し得るようになるまでの絞り値の開放量を取得する処理が行われる。なお、光の回折現象の影響が無視し得るときの絞り値の値は、例えば上述したものと同様にして得ることができる。
【００７６】
Ｓ３０７では、前ステップの処理によって取得された絞り値の開放量にレンズ絞りを設定した場合に適正な露光を得るためのシャッター速度を、Ｓ３０３の処理によって取得した絞り値とＳ３０４の処理によって取得したシャッター速度とに基づいて求める処理が行われる。
【００７７】
Ｓ３０８では、前ストップの処理によって求められたシャッター速度は、カメラ１０で利用することのできるものであるか否かを判定する処理が行われる。ここで、このシャッター速度が利用可能なものであると判定したとき（判定結果がＹｅｓのとき）はＳ３０９に処理を進め、利用できないものであると判定したとき（判定結果がＮｏのとき）はＳ３１５に処理を進める。
【００７８】
上述したＳ３０５及びＳ３０８の判定処理における判定条件に共に合致し、これらの判定処理の結果がいずれもＹｅｓの場合には、絞り過多による光の回折現象が撮影画像に影響を及ぼしているとの推定がされ、且つ、適正な露出の下でその影響を解消するための方策が存在する（レンズ絞りの開放及びシャッター速度の増加）。そこで、Ｓ３０９において、前述したものと同様の、アドバイス情報表示フラグをセットする処理が行われ、続くＳ３１０において、アドバイス情報がある旨を表示部１９で表示させる処理が行われる。
【００７９】
このアドバイス処理の第三の例においては、このフラグがセットされていることにより、絞り過多による光の回折現象が撮影画像に影響を及ぼしているとの推定がされていることが表される。なお、アドバイス情報がある旨の表示は、例えば図４Ｂや図６Ｂに例示したものと同様、画面内の右側の「ＧＵＩＤＥ」なる表示とすればよい。
【００８０】
Ｓ３１１では、操作入力部２３のガイドボタン２３−７に対する押下操作によるユーザからのアドバイス情報の表示指示を取得したか否かを判定する処理が行われる。ここで、当該指示を取得したと判定したとき（判定結果がＹｅｓのとき）にはＳ３１２に処理を進める。一方、当該操作を取得していないと判定したとき（判定結果がＮｏのとき）にはＳ３１５に処理を進める。
【００８１】
Ｓ３１２では、それまでの撮影画像の再生表示に代えて、アドバイス情報の表示画面を表示部１９で表示させる処理が行われる。なお、このときに表示させるアドバイス情報は、例えば、「絞りをＮ段開放すると画質が良くなります。」なる文章の表示であり、当該文章における「Ｎ」の代わりに、Ｓ３０６の処理によって取得された開放量を表示するようにしたものとする。つまり、レンズ絞りの設定を画像の撮影の際におけるものよりも開く向きへ変更することを勧める旨の情報をユーザへ提示するものとする。
【００８２】
Ｓ３１３では、操作入力部２３の確定ボタン２３−２に対する押下操作による、アドバイス情報の表示終了の指示を取得したか否かを判定する処理が行われ、当該指示を取得したとの判定がされるまで（判定結果がＹｅｓとなるまで）Ｓ３１３の処理を繰り返す。
【００８３】
Ｓ３１４では、Ｓ３１２の処理によって表示部１９に表示させたアドバイス情報の表示画面を消去して元の撮影画像の再生表示を再開させる処理が行われる。
Ｓ３１５では、操作入力部２３に対する押下操作により、表示部１９で現在表示中の撮影画像の前若しくは後に続く次のコマである撮影画像の表示指示（この表示指示は、十字ボタン２３−３、２３−４、２３−５、若しくは２３−６が押下操作されることによってなされる）を取得したか否かを判定する処理が行われる。ここで、当該指示を取得したと判定したとき（判定結果がＹｅｓのとき）にはＳ３１６に処理を進め、当該指示に係るコマの画像を表示部１９で表示させる処理が行われ、その後はＳ３０１へと処理を戻して上述した処理を繰り返す。一方、当該指示を取得していないと判定したとき（判定結果がＮｏのとき）は、Ｓ３１７に処理を進める。
【００８４】
Ｓ３１７では、前述したアドバイス情報表示フラグがセットされているか否かを判定する処理が行われる。ここで、当該フラグがセットされていると判定したとき（判定結果がＹｅｓのとき）にはＳ３０９へと処理を戻して上述した処理を繰り返す。一方、当該フラグがセットされていないと判定したとき（判定結果がＮｏのとき）にはＳ３１５へと処理を戻して、次のコマの撮影画像の表示指示の取得のための処理を繰り返す。
【００８５】
以上までの処理がＣＰＵ２１によって行われることにより、カメラ１０での撮影時におけるレンズ絞りの過大な絞り込みに起因する光の回折現象の発生が推定される場合に、アドバイス情報がユーザに提示されて、適正な露出の下での絞り及びシャッター速度の設定による当該現象の回避策が提案されるので、ユーザの撮影スキル向上の一助となる。
【００８６】
以上までに説明した画像の撮影状況に応じたアドバイスの提示機能は、いずれも画像を撮影するカメラ１０が有するものとしていたが、この代わりに、撮影画像の画像データをカメラ１０から受け取ったＰＣ（パーソナル・コンピュータ）が、このようなアドバイス情報の提示を行うようにすることもできる。
【００８７】
ここで図８について説明する。同図は、本発明をＰＣで実施するときの構成例を示している。
同図において、ＰＣ４０はカメラ１０のＵＳＢＩ／Ｆ２０と接続されており、ＰＣ４０とカメラ１０との間で画像データ等の各種データを相互に授受することができる。また、ＰＣ４０と情報サーバ装置５０とはインターネット等の通信回線６０を介して論理的に接続されており、各種のデータを相互に授受することができる。
【００８８】
情報サーバ装置５０はデータベース５１が接続されており、これらは例えばカメラ１０の製造メーカによって設置される。データベース５１には、カメラ１０で使用可能な交換レンズの情報と、今までに説明したような各種のアドバイス情報とが格納されており、ＰＣ４０からの要求に応じ、通信回線６０を介してこれらの情報をＰＣ４０へ送付する。
【００８９】
なお、ＰＣ４０及び情報サーバ装置５０は、いずれもごく標準的な構成のコンピュータの構成、すなわち、制御プログラムを実行することで各構成要素を制御するＣＰＵ（中央演算装置）と、ＲＯＭやＲＡＭ及び磁気記憶装置などからなり、ＣＰＵに各構成要素を制御させる制御プログラムの記憶やＣＰＵが制御プログラムを実行する際のワークエリアあるいは各種データの記憶領域として使用される記憶部と、ユーザによる操作に対応する各種のデータが取得される入力部と、ディスプレイなどに各種のデータを提示してユーザに通知する出力部と、他の機器とのデータ授受のためのインタフェース機能を提供するＩ／Ｆ部とを備えるコンピュータの構成を有している。
【００９０】
ユーザがＰＣ４０の入力部を操作して所定の指示を与えると、カメラ１０での撮影画像についての画像データファイルがメモリカード１７から読み出されてカメラ１０からＰＣ４０へ送られてくる。ＰＣ４０では、この画像データファイルを記憶部に格納する。ここで、ユーザが所定の指示をＰＣ４０の入力部に対して与えると、記憶部に格納されている画像データファイルで表わされている画像の再生表示処理が開始され、カメラ１０での撮影画像がＰＣ４０の出力部で図９Ａに例示するように表示される。
【００９１】
このとき、ＰＣ４０のＣＰＵでは、予め記憶部に記憶させておいた制御プログラムが読み込まれて実行されることにより、図３Ａ及び図３Ｂ、図５、あるいは図７に示したアドバイス処理が行われる。そして、図３ＡのＳ１１３、図５のＳ２０９、あるいは図７のＳ３０９の処理が実行されると、例えば図９Ａの右端に表わされている表示のように、アドバイス情報がある旨の表示がなされる。
【００９２】
ここで、ユーザがＰＣ４０の入力部を操作してアドバイス情報の表示指示を行ったことが図３ＡのＳ１１４、図５のＳ２１０、あるいは図７のＳ３１１の処理によって検出されると、図３ＡのＳ１１５、図５のＳ２１１、あるいは図７のＳ３１２の処理が実行され、ＰＣ４０の出力部では図９Ｂに例示するようなアドバイス情報の表示（この図は交換レンズの使用を推奨する例である）が行われる。
【００９３】
なお、前述したカメラ１０での本発明の実施形態では、アドバイス情報や交換レンズについての情報はカメラ１０自身や交換レンズが有しているようにしていたが、図８に示した構成の下で本発明をＰＣ４０で実施する場合には、これらの情報をＰＣ４０自身が予め保有しておく代わりに、前述したアドバイス処理の実行中にこれらの情報が必要となったときに、この情報の転送要求をＰＣ４０が情報サーバ装置５０に対して行うようにし、この要求に応じて情報サーバ装置５０がデータベース５１から抽出したこれらの必要な情報をＰＣ４０へ転送することで、これらの情報をＰＣ４０が利用するようにしてもよい。
【００９４】
また、カメラ１０で本発明を実施する場合、前述した実施形態では、アドバイス情報や交換レンズについての情報をカメラ１０自身が例えばＲＯＭ２２自身で予め保有しておくようにしていた。その代わりに、例えば、図８の構成においてカメラ１０とＰＣ４０とが接続された場合に、カメラ１０が保有しているこれらの情報の更新状況をカメラ１０若しくはＰＣ４０が調べ、この情報がデータベース５１の有している情報よりも古い場合には、最新の情報の転送要求をＰＣ４０が情報サーバ装置５０に対して行うようにし、この要求に応じて情報サーバ装置５０がデータベース５１から抽出して転送してきたこれらの情報をＰＣ４０からカメラ１０へ送付して情報の更新を行うようにして、これらの情報の最新のものをカメラ１０で利用できるようにしてもよい。
【００９５】
ところで、図３Ａ及び図３Ｂ、図５、あるいは図７に示したアドバイス処理をＰＣ４０のＣＰＵに行わせるための制御プログラムを作成してＰＣ４０で読み取り可能な記録媒体に記録させておき、その制御プログラムを記録媒体からＰＣ４０のＣＰＵに読み出させて実行させるようにしてもよい。
【００９６】
記録させたプログラムをＰＣ４０で読み取ることの可能な記録媒体としては、例えば、ＰＣ４０に内蔵若しくは外付けの付属装置として備えられるＲＡＭ若しくはＲＯＭ又はハードディスク装置などのメモリ、あるいはＦＤ（フレキシブルディスク）、ＭＯ（光磁気ディスク）、ＣＤ−ＲＯＭ、ＤＶＤ−ＲＯＭなどといった可搬型記録媒体等が利用できる。
【００９７】
また、記録媒体は通信回線を介してＰＣ４０と接続される、プログラムサーバとして機能するコンピュータが備えている記憶装置であってもよい。この場合には、プログラムを表現するデータ信号で搬送波を変調して得られる伝送信号を、プログラムサーバから伝送媒体である回線を通じて伝送するようにし、ＰＣ４０では受信した伝送信号を復調してプログラムを再生することで当該プログラムを実行できるようになる。
【００９８】
その他、本発明は、上述した実施形態に限定されることなく、本発明の要旨を逸脱しない範囲内で種々の改良・変更が可能である。
例えば、カメラ１０の表示部１９で再生表示されている画像の撮影時におけるシャッター速度と焦点距離との情報を当該画像についてのＥｘｉｆ情報から取得し、手ぶれの限界を超えた撮影を行っていることがこれらの情報から推定される場合に、アドバイス情報として、例えば、カメラ１０に搭載されている手ぶれ撮影防止機能の使用を提案する情報、ＩＳＯ感度を上げて速いシャッター速度での撮影を提案する情報、あるいは、撮影時におけるものよりも明るいレンズを使用して速いシャッター速度での撮影を提案する情報、等を提示するようにしてもよい。また、このとき、カメラ１０の三脚座や三脚穴に検出スイッチを設け、三脚を使用せずにこのような撮影が行われていた場合にのみ、上述したようなアドバイス情報を提示するようにしてもよい。
【００９９】
また、上述したカメラ１０での本発明の実施形態においては、再生モードでの動作をカメラ１０に行わせるとアドバイス処理が実行されるようにしていたが、カメラ１０で撮影を行うときの動作モードである撮影モードでアドバイス処理が実行されるようにしてもよい。
【０１００】
例えば、図５や図７に示したアドバイス処理は、カメラ１０で撮影を行う度に開始するようにし、その撮影における撮影状況の判定を、Ｅｘｉｆ情報に示されている情報に基づいて行う代わりに、当該撮影時における撮影状況の設定を直接取得して行うようにするとよい。このようにすることにより、ストロボ光のケラレ、及びレンズ絞りの絞り過ぎで生じる光の回折現象についてのアドバイス（警告）を、画像の撮影後ではなく、画像撮影の直前にも行うことができるようになる。
【０１０１】
また、図３Ａ及び図３Ｂに示したアドバイス処理については、撮影毎の撮影状況の履歴をＲＡＭ１５等で保存しておくようにし、ユーザが操作入力部２３を操作して行うアドバイス情報の提示要求をカメラ１０が取得したときに、その履歴を集計して撮影状況の傾向を取得し、その傾向に応じて所定のアドバイス情報を提示するようにするとよい。このようにすることにより、デジタルズームの使用を推奨するアドバイスを、画像の撮影後ではなく、画像撮影の直前にも行うことができるようになる。
【０１０２】
なお、上記した実施の形態から次のような構成の技術的思想も導かれる。
［付記１］
画像を表示する表示手段と、
予め定められた項目に対するアドバイス情報を記憶している記憶手段と、
上記表示手段に表示されている画像の撮影情報を取得し、当該取得情報の少なくとも１つに対して、上記予め定められた項目に対応する撮影時操作の変更が必要であるか否かを判定する判定手段と、
上記判定手段によって予め定められた項目に対応する撮影時操作の変更が必要であると判定された場合に、当該予め定められた項目に対応するアドバイス情報を報知する報知手段と、
を具備したことを特徴とする撮影アドバイス装置。
【０１０３】
［付記２］
上記予め定められた項目は、複数の画像における撮影時の平均焦点距離情報であって、
上記アドバイス情報は、上記表示手段に記載されている画像の撮影時に、デジタルズームの使用を促す撮影操作情報または望遠撮影可能な交換レンズの使用を促す撮影操作情報である、
ことを特徴とする付記１に記載の撮影アドバイス装置。
【０１０４】
［付記３］
上記予め定められた項目は、ストロボ光のケラレに関する情報であって、
上記アドバイス情報は、上記表示手段に表示されている画像の撮影時に、外部ストロボの使用を促す撮影操作情報である、
ことを特徴とする付記１に記載の撮影アドバイス装置。
【図面の簡単な説明】
【０１０５】
【図１】本発明を実施するカメラの構成を示す図である。
【図２】図１に示したカメラの背面図である。
【図３Ａ】アドバイス処理の第一の例の処理内容を示すフローチャート（その１）である。
【図３Ｂ】アドバイス処理の第一の例の処理内容を示すフローチャート（その２）である。
【図４Ａ】メモリカードに記録されている画像の再生表示例（その１）を示す図である。
【図４Ｂ】メモリカードに記録されている画像の再生表示例（その２）を示す図である。
【図４Ｃ】アドバイス情報の表示画面例（その１）を示す図である。
【図４Ｄ】アドバイス情報の表示画面例（その２）を示す図である。
【図５】アドバイス処理の第二の例の処理内容を示すフローチャートである。
【図６Ａ】メモリカードに記録されている画像の再生表示例（その３）を示す図である。
【図６Ｂ】メモリカードに記録されている画像の再生表示例（その４）を示す図である。
【図６Ｃ】アドバイス情報の表示画面例（その３）を示す図である。
【図７】アドバイス処理の第三の例の処理内容を示すフローチャートである。
【図８】本発明をＰＣで実施するときの構成例を示す図である。
【図９Ａ】メモリカードに記録されている画像の再生表示例（その５）を示す図である。
【図９Ｂ】アドバイス情報の表示画面例（その４）を示す図である。
【符号の説明】
【０１０６】
１０  カメラ
１１  レンズ
１２  撮像部
１３  撮像処理部
１４  画像処理部
１５  ＲＡＭ
１６  メモリＩ／Ｆ部
１７  メモリカード
１８  表示処理部
１９  表示部
２０  ＵＳＢ  Ｉ／Ｆ
２１  ＣＰＵ
２２  ＲＯＭ
２３  操作入力部
２３−１  レリーズボタン
２３−２  確定ボタン
２３−３、２３−４、２３−５、２３−６  十字ボタン
２３−７  ガイドボタン
２４  バス
３０  筐体
３１  ファインダ
４０  ＰＣ
５０  情報サーバ装置
５１  データベース
６０  通信回線
【図１】
2006352712.tif 000003
【図２】
2006352712.tif 000004
【図３Ａ】
2006352712.tif 000005
【図３Ｂ】
2006352712.tif 000006
【図４Ａ】
2006352712.tif 000007
【図４Ｂ】
2006352712.tif 000008
【図４Ｃ】
2006352712.tif 000009
【図５】
2006352712.tif 000010
【図６Ａ】
2006352712.tif 000011
【図６Ｂ】
2006352712.tif 000012
【図７】
2006352712.tif 000013
【図８】
2006352712.tif 000014
【図９Ａ】
2006352712.tif 000015
【図４Ｄ】
2006352712.tif 000016
【図６Ｃ】
2006352712.tif 000017
【図９Ｂ】
2006352712.tif 000018